(57)【要約】【課題】ノズル取付基準面に複数の給水ノズルを簡単に揃えて装着でき、確実な給水パイプの回り止め効果が期待でき、給水ノズルの配設状態が外力等によって変らず、給水ノズルの所望配設状態を長期に亙って維持でき、構成簡素で、量産に適し、耐久性に優れ、取扱い易く、メンテナンスが容易で、経済的な小動物用給水装置を提供する。【解決手段】飼育ケージＥ内で飼育する小動物用の給水装置であって、複数の給水ノズルＣと、複数の給水ノズルＣが装着可能な給水パイプＡと、給水パイプＡを所望位置に所定の固定状態で支持する複数のパイプ取付具Ｂとを備え、給水パイプＡには、筒芯に対して平行で且つ略帯状平坦面となるノズル取付基準面１０を形成し、パイプ取付具Ｂには、給水パイプＡが筒芯を中心として回転するのを阻止できるような適宜回り止め手段を設け、この回り止め手段は、ノズル取付基準面１０を利用して構成する。【選択図】図２
2005333806.tif 000002
【特許請求の範囲】
【請求項１】
飼育ケージ内で飼育される適宜小動物用の給水装置であって、複数の給水ノズルと、この複数の給水ノズルが装着可能な給水パイプと、この給水パイプを所望位置に所定の固定状態で支持する複数のパイプ取付具とを備え、給水パイプには、その筒芯に対して平行で且つ略帯状平坦面となるノズル取付基準面を形成し、パイプ取付具には、給水パイプが筒芯を中心として回転するのを阻止できるような適宜回り止め手段を設け、この回り止め手段は、ノズル取付基準面を利用して構成したことを特徴とする小動物用給水装置。
【請求項２】
飼育ケージ内で飼育される適宜小動物用の給水装置であって、複数の給水ノズルと、この複数の給水ノズルが装着可能な給水パイプと、この給水パイプを所望位置に所定の固定状態で支持する複数のパイプ取付具とを備え、給水ノズルは、給水部分となる先端の作動部が斜下向きとなるように給水パイプにセットされ、小動物自身の作動部の押圧操作により弁棒が揺動して弁部が開き、要求分の水を飲めるように構成され、給水ノズルの弁棒を囲繞するノズル管体の先端がわに膨出凸部を周設し、ノズル管体の先端寄りに当接段部を周設し、膨出凸部は、飼育ケージの給水ノズルがわへの移動によって、飼育ケージ側壁のグロメットの揺動蓋板を押圧して、開口部が開くように構成され、当接段部は、グロメットの開口部の孔縁部分に当接して、給水ノズルがわへの飼育ケージＥの移動を停止できるように構成され、給水パイプには、その筒芯に対して平行で且つ略帯状平坦面となるノズル取付基準面を形成し、パイプ取付具には、給水パイプが筒芯を中心として回転するのを阻止できるような適宜回り止め手段を設け、この回り止め手段は、ノズル取付基準面を利用して構成したことを特徴とする小動物用給水装置。
【請求項３】
給水パイプを、断面略Ｄ字状のパイプ材で構成したことを特徴とする請求項１または請求項２記載の小動物用給水装置。
【請求項４】
パイプ取付具は、取付基体と、押え片とからなり、取付基体は、適宜間隔で配される一対の基体側板と、この一対の基体側板の先端縁部分を連設する基体連結片と、一対の基体側板の基端縁部分に夫々連設される取付脚片とからなり、一対の基体側板の先端縁寄り部分には、給水パイプのノズル取付基準面を除く断面形状に合致するような嵌合溝を設け、取付基体に固定される押え片が、給水パイプのノズル取付基準面に密接する回り止め手段によって、給水パイプが筒芯を中心として回転するのを阻止できるよう構成したことを特徴とする請求項１または請求項２または請求項３記載の小動物用給水装置。
【発明の詳細な説明】
【技術分野】
【０００１】
本発明は、飼育ケージで飼育されるような各種ねずみ、兎、モルモット、ハムスター、犬、猫、小形猿等の小動物は勿論のこと、離乳後の３週〜４週齢のマウス（はつかねずみ）の子のような小動物でも僅かな舌の力で要求分の水を飲むことができ、更に、側壁に設けた給水用の開口部に開閉蓋が設けられているような飼育ケージ用として好適な給水ノズルを、給水パイプに沿って多数装着して構成されるもので、しかも、給水ノズルが、簡単に、確実に、正確に、且つ安定的に装着できて、多数並設されている飼育ケージに対して多数の給水ノズルを所望の配設状態に揃えられるよう工夫した小動物用給水装置に関するものである。
【背景技術】
【０００２】
従来、この種の小動物用給水装置としては種々のものが提供されており、例えば、本願出願人は、既に特許文献１の如き小動物用給水弁を創出している。
これは、各種小動物自身の操作によって弁部が開き、要求分の水を飲めるように構成した小動物用給水弁であって、水の供給側となる基端側給水管と、各種小動物が要求分の水を飲む側となる先端側給水管とを分離可能に連結できるよう形成し、先端側給水管内の基端部にパッキングを装着し、先端に作動部を設けると共に、基端に弁頭部を設けてなる弁棒を形成し、前記弁頭部がパッキングに当接すると共に、前記作動部が先端側給水管の先端から外部に若干突出するように、前記弁棒を先端側給水管内に配し、基端側給水管内に、浮遊部材を内装すると共に、この浮遊部材が先端側に移動するようにその弾発力を付勢する弾性体を縮装し、弁棒の弁頭部を浮遊部材が弾性的に圧迫支持するように形成し、弁棒の作動部の放射方向への押圧操作で、弁棒の弁頭部とパッキングとの間の弁部が自在に開くよう構成したものである。
【０００３】
そして、このように構成された複数の小動物用給水弁（給水ノズル）は、例えば、丸パイプ材で構成された給水パイプに複数装着したり、或いは、丸パイプ材の複数箇所を偏平に塑性加工した加工給水パイプを形成し、この加工給水パイプの偏平部分夫々に複数装着したり、或いは、特許文献２に示すように角パイプ材で構成された給水パイプに装着する等の適宜手段が採用されている。
【０００４】
【特許文献１】特許第３２９７９０７号
【特許文献２】実用新案登録第２５６６９９４号
【発明の開示】
【発明が解決しようとする課題】
【０００５】
しかしながら、複数の給水ノズルを、丸パイプ材で構成された給水パイプに装着する手段は、複数の給水ノズルの向きを揃えて給水パイプに正確に装着することが難しい難点があった。しかも、給水パイプ自体がその筒芯を中心として回転し易く、給水ノズルを所望の配設状態で維持し難い難点もあった。
【０００６】
また、複数の給水ノズルを、丸パイプ材の複数箇所を偏平に塑性加工したような加工給水パイプを形成し、この加工給水パイプの偏平部分夫々に装着する手段は、複数の偏平部分を設ける加工が面倒であると共に、複数の偏平部分を揃えるのが難しく、複数の給水ノズルの向きを正確に揃えて給水パイプを装着するのが難しい難点があった。しかも、給水パイプ自体がその筒芯を中心として回転し易く、給水ノズルを所望の配設状態で維持し難い難点もあった。
【０００７】
更に、複数の給水ノズルを、角パイプ材で構成された給水パイプに装着する手段は、複数の給水ノズルの向きを揃えて給水パイプに装着し易くなるが、給水パイプ内の隅部にスケール（ゴミや水垢）等が溜まり易くなり、清掃等のメンテナンスを頻繁に行わなければならず、取扱いが面倒となる等の難点があった。
【０００８】
加えて、給水パイプが筒芯を中心として回転せず、しかも、簡単に、確実に、正確に、且つ安定的に給水パイプ及び給水ノズルを装着できるようにした小動物用給水装置の提供が望まれていた。
【課題を解決するための手段】
【０００９】
しかして、本発明は、前述の如き難点等を解消すべく創出されたもので、請求項１記載の小動物用給水装置は、飼育ケージＥ内で飼育される適宜小動物用の給水装置であって、複数の給水ノズルＣと、この複数の給水ノズルＣが装着可能な給水パイプＡと、この給水パイプＡを所望位置に所定の固定状態で支持する複数のパイプ取付具Ｂとを備え、給水パイプＡには、その筒芯に対して平行で且つ略帯状平坦面となるノズル取付基準面１０を形成し、パイプ取付具Ｂには、給水パイプＡが筒芯を中心として回転するのを阻止できるような適宜回り止め手段を設け、この回り止め手段は、ノズル取付基準面１０を利用して構成する手段を採用した。
【００１０】
また、請求項２記載の小動物用給水装置は、飼育ケージＥ内で飼育される適宜小動物用の給水装置であって、複数の給水ノズルＣと、この複数の給水ノズルＣが装着可能な給水パイプＡと、この給水パイプＡを所望位置に所定の固定状態で支持する複数のパイプ取付具Ｂとを備え、給水ノズルＣは、給水部分となる先端の作動部３が斜下向きとなるように給水パイプＡにセットされ、小動物自身の作動部３の押圧操作により弁棒４が揺動して弁部が開き、要求分の水を飲めるように構成され、給水ノズルＣの弁棒４を囲繞するノズル管体１の先端がわに膨出凸部２ａを周設し、ノズル管体１の先端寄りに当接段部２ｃを周設し、膨出凸部２ａは、飼育ケージＥの給水ノズルＣがわへの移動によって、飼育ケージＥ側壁のグロメット５の揺動蓋板７を押圧して、開口部６が開くように構成され、当接段部２ｃは、グロメット５の開口部６の孔縁部分に当接して、給水ノズルＣがわへの飼育ケージＥの移動を停止できるように構成され、給水パイプＡには、その筒芯に対して平行で且つ略帯状平坦面となるノズル取付基準面１０を形成し、パイプ取付具Ｂには、給水パイプＡが筒芯を中心として回転するのを阻止できるような適宜回り止め手段を設け、この回り止め手段は、ノズル取付基準面１０を利用して構成する手段を採用した。
【００１１】
更に、請求項３記載の小動物用給水装置は、給水パイプＡを、断面略Ｄ字状のパイプ材で構成する手段を採用した。
【００１２】
そして、請求項４記載の小動物用給水装置は、パイプ取付具Ｂは、取付基体２０と、押え片２５とからなり、取付基体２０は、適宜間隔で配される一対の基体側板２１と、この一対の基体側板２１の先端縁部分を連設する基体連結片２２と、一対の基体側板２１の基端縁部分に夫々連設される取付脚片２３とからなり、一対の基体側板２１の先端縁寄り部分には、給水パイプＡのノズル取付基準面１０を除く断面形状に合致するような嵌合溝２６を設け、取付基体２０に固定される押え片２５が、給水パイプＡのノズル取付基準面１０に密接する回り止め手段によって、給水パイプＡが筒芯を中心として回転するのを阻止できるよう構成する手段を採用した。
【発明の効果】
【００１３】
従って、本発明の請求項１記載の小動物用給水装置は、給水パイプＡのノズル取付基準面１０に複数の給水ノズルＣを装着できるようになると共に、複数の給水ノズルＣを簡単に揃えて装着できるようになる。
特に、確実な給水パイプＡの回り止め効果が期待でき、給水ノズルＣの配設状態が外力等によって変わることがなく（給水パイプＡが筒芯を中心として回転するようなことがなく）、給水ノズルＣの所望配設状態を長期に亙って維持できるようになる。
しかも、構成が簡素で、量産に適し、耐久性に優れ、取扱い易く、メンテナンスが容易で、経済的な小動物用給水装置となる。
【００１４】
また、本発明の請求項２記載の小動物用給水装置は、給水パイプＡのノズル取付基準面１０に複数の給水ノズルＣを装着できるようになると共に、複数の給水ノズルＣを簡単に揃えて装着できるようになる。
特に、確実な給水パイプＡの回り止め効果が期待でき、給水ノズルＣの配設状態が外力等によって変わることがなく（給水パイプＡが筒芯を中心として回転するようなことがなく）、給水ノズルＣの所望配設状態を長期に亙って維持できるようになる。
しかも、構成が簡素で、量産に適し、耐久性に優れ、取扱い易く、メンテナンスが容易で、経済的な小動物用給水装置となる。
【００１５】
加えて、膨出凸部２ａが揺動蓋板７に当接して、これを大きく揺動せしめられるようになり、給水部分となる作動部３から揺動蓋板７が離れて、小動物が作動部３に触れて給水し易いものとなる。
そして、当接段部２ｃによって、飼育ケージＥの所定位置への移動が正確に且つ簡単に行えるようになり、給水部となる作動部３を飼育ケージＥの所望の位置に正確に配置できるようになる。
すなわち、側壁に設けた給水用の開口部６に揺動蓋板７が設けられているような飼育ケージＥ用として好適な給水ノズルＣとなり、しかも、給水ノズルＣが、簡単に、確実に、正確に、且つ安定的に装着できて、多数並設されている飼育ケージＥに対して多数の給水ノズルＣを所望の配設状態に揃えられるような小動物用給水装置となる。
【００１６】
更に、本発明の請求項３記載の小動物用給水装置は、給水パイプＡ内にスケール（ゴミや水垢）等が溜まり難いものとなり、メンテナンスの回数が少なくて済むようになると共に、メンテナンス自体も容易となる。
【００１７】
そして、本発明の請求項４記載の小動物用給水装置は、給水パイプＡを簡単に、確実に、正確に、且つ安定的に装着できるようになる。
特に、嵌合溝２６と押え片２５によって、給水パイプＡの確実な回り止め効果が期待できるようになり、給水ノズルＣ（及び給水パイプＡ）の配設状態が外力等によって変わることがなく（給水パイプＡが筒芯を中心として回転するようなことがなく）、給水ノズルＣ（及び給水パイプＡ）の所望配設状態を長期に亙って維持できるようになる。
しかも、パイプ取付具Ｂの構成が簡素で、量産に適し、耐久性に優れ、取扱い易く、メンテナンスが容易で、経済的となる。
【発明を実施するための最良の形態】
【００１８】
以下、本発明を図示例に基づいて説明する。
本発明の小動物用給水装置は、各種ねずみ、兎、モルモット、ハムスター、犬、猫、小形猿等の小動物は勿論のこと、特に、離乳後のマウス（はつかねずみ）の子のような小動物を、飼育ケージＥ内で飼育するような場合に最適となるもので、具体的には、複数の給水ノズルＣと、この複数の給水ノズルＣが装着可能な給水パイプＡと、この給水パイプＡを所望位置に所定の固定状態で支持できるようにした複数のパイプ取付具Ｂとを備えたものである。
【００１９】
そして、給水パイプＡには、その筒芯に対して平行で且つ略帯状平坦面となるノズル取付基準面１０を形成し、パイプ取付具Ｂには、給水パイプＡが筒芯を中心として回転するのを阻止できるような適宜回り止め手段を設け、この回り止め手段は、ノズル取付基準面１０を利用して構成されている。
【００２０】
尚、小動物が一匹宛飼育される飼育ケージＥは、例えば、その側壁（例えば、奥壁）に設けた取付け孔に金属製のグロメット５が取付けられており、このグロメット５には、給水ノズルＣの先端部分が配される開口部６が穿設されており、この開口部６は、例えば、その上部の支点部を介して上下方向に揺動自在となるようグロメット５に装着される揺動蓋板７によって、内がわから開閉自在に閉鎖できるよう構成されている。尚、揺動蓋板７には開口部６を常時閉鎖するように弾発バネの弾発力が付勢されている。
【００２１】
そして、前記給水ノズルＣは、小動物の僅かな舌の力で要求分の水を容易に且つ確実に飲むことができ、給水部分となる作動部３が配されている先端部分が斜下向き（例えば、水平面に対して４０度の傾き）となるようにカプラーＤを介して（或いは、カプラーＤは無くても良い）給水パイプＡにセットされ、飼育ケージＥ内の小動物自身の作動部３の押圧操作により弁棒４が揺動して弁部が開き、要求分の水を飲めるように構成されている。  しかも、給水ノズルＣは、弁棒４を囲繞するノズル管体１の先端がわに膨出凸部２ａを周設し、ノズル管体１の先端寄りに当接段部２ｃを周設し、膨出凸部２ａは、飼育ケージＥの給水ノズルＣがわへの移動によって、飼育ケージＥ側壁のグロメット５の揺動蓋板７を押圧して、開口部６が開くように構成され、当接段部２ｃは、グロメット５の開口部６の孔縁部分に当接して、給水ノズルＣがわへの飼育ケージＥの移動を停止できるように構成されている。
【実施例】
【００２２】
前記給水パイプＡは、例えば、適宜金属材、適宜合成樹脂材、或いは適宜複合材等による断面略Ｄ字状のパイプ材によって構成されている。すなわち、その外表面には、筒芯に対して平行で且つ略帯状平坦面となるノズル取付基準面１０が形成され、ノズル取付基準面１０以外は湾曲部１１となっている。更に、その内表面は、比較的曲率半径の大きな湾曲面で構成されており、スケール（ゴミや水垢）等が付着し難いように構成されている。しかも、ノズル取付基準面１０には、カプラーＤ或いは給水ノズルＣを直に装着できるような雌ネジ孔等が筒芯方向に沿って所定間隔に配設されている。
ところで、給水パイプＡは、その外表面が断面略Ｄ字状を呈し、その内表面が断面略円形状を呈するように形成して、スケール（ゴミや水垢）等がより付着し難いようにしたものであっても良い（図示せず）。
【００２３】
前記給水ノズルＣは、弁棒４を囲繞するように配される給水管の先端がわ外周面部分に、断面略三角形状の環状となる膨出凸部２ａを周設してある。すなわち、飼育ケージＥを給水パイプＡに装着された給水ノズルＣがわへ移動させると、膨出凸部２ａの上部が、飼育ケージＥのグロメット５の開口部６から揺動蓋板７を押圧して、開口部６を大きく開くことができるように構成してある。
また、給水管の先端寄り外周面部分には、当接段部２ｃを周設してあり、飼育ケージＥを給水ノズルＣがわへ移動させると、当接段部２ｃの上部が、グロメット５の開口部６の孔縁上部に当接して、飼育ケージＥの移動を阻止できるように構成してある。すなわち、当接段部２ｃによって、飼育ケージＥの所定位置への移動が正確に且つ簡単に行え、給水部となる作動部３を飼育ケージＥの所望の位置に正確に配置できるよう構成してある。
更に、前記膨出凸部２ａを含む給水管の先端面部分は、給水管の筒心部分を頂部とするような湾曲面部２ｂとしてある。しかも、飼育ケージＥを給水ノズルＣがわへ移動させて、当接段部２ｃの上部が、グロメット５の開口部６の孔縁上部に当接したときに、湾曲面部２ｂの下部が、グロメット５の開口部６下部の鉛直位置より飼育ケージＥ外がわに位置するように構成してある。すなわち、小動物が飲みきれなかった水等が湾曲面部２ｂを伝って飼育ケージＥ外に排出されるように構成してある。
加えて、弁棒４先端の給水部分となる作動部３は、飼育ケージＥを給水ノズルＣがわへ移動させて、当接段部２ｃの上部が、グロメット５の開口部６の孔縁上部に当接したときに、グロメット５の開口部６下部の鉛直位置より飼育ケージＥ外がわに位置するように構成して、作動部３から垂れ落ちる水等が飼育ケージＥ外に排出されるようにしてある。
【００２４】
そして、図２及び図３に示すパイプ取付具Ｂ１（Ｂ）は、例えば、適宜金属材、或いは、適宜合成樹脂材、或いは、適宜複合材等によって構成されており、ボルト・ナット（或いは、固定ネジ等）を介して壁面（或いは、支柱、横架材等）等に固定される取付基体２０と、この取付基体２０にボルト・ナット（或いは、固定ネジ等）を介して固定される押え片２５とからなる。
しかも、前記取付基体２０は、例えば、適宜間隔で平行に（平行でなくても良い）配される一対の基体側板２１と、この一対の基体側板２１の先端縁上部相互及び下部相互を連設するような略矩形板状の基体連結片２２と、一対の基体側板２１の基端縁部分に夫々連設される略矩形板状の取付脚片２３とからなり、一対の基体側板２１の先端縁寄り部分には、給水パイプＡのノズル取付基準面１０を除く断面形状（湾曲部１１の断面形状）に合致するような略円弧状の嵌合溝２６を設け、取付脚片２３には取付孔２７が適数穿設され、基体連結片２２には連結孔２８が適数穿設され（或いは、雌ネジ孔が適数螺刻され）、押え片２５には連結孔２９が適数穿設されている。
すなわち、取付脚片２３の取付孔２７に挿通されるボルト・ナット（或いは、固定ネジ等）を介して取付基体２０を壁面（或いは、支柱、横架材等）等に固定し、基体連結片２２の連結孔２８と押え片２５の連結孔２９に挿通（或いは、螺着）されるボルト・ナット（或いは、固定ネジ等）を介して押え片２５を取付基体２０（基体連結片２２）に固定する。このとき、給水パイプＡは、嵌合溝２６に合致して収まると共に、そのノズル取付基準面１０に押え片２５が密接することで回り止め手段となり、給水パイプＡが筒芯を中心として回転するのを阻止できるよう構成されている。
【００２５】
また、図４に示すパイプ取付具Ｂ２（Ｂ）は、例えば、適宜金属材、或いは、適宜合成樹脂材、或いは、適宜複合材等によって構成されており、ボルト・ナット（或いは、固定ネジ等）を介して壁面（或いは、支柱、横架材等）等に固定される取付基体３０によって構成されている。
しかも、前記取付基体３０は、例えば、適宜間隔で平行に（平行でなくても良い）配される一対の基体側板３１と、この一対の基体側板３１先端縁相互を連設するような略矩形板状の基体連結片３２と、一対の基体側板３１の基端縁部分に夫々連設される略矩形板状の取付脚片３３とからなり、一対の基体側板３１の略中央部分には、給水パイプＡの断面形状に合致するような略Ｄ字状の嵌合孔３５を穿設し、取付脚片３３には取付孔３６が適数穿設されている。
すなわち、取付脚片３３の取付孔３６に挿通されるボルト・ナット（或いは、固定ネジ等）を介して取付基体３０を壁面（或いは、支柱、横架材等）等に固定する。このとき、給水パイプＡは、嵌合孔３５に合致して、その孔縁部分にノズル取付基準面１０が密接することで回り止め手段となり、給水パイプＡが筒芯を中心として回転するのを阻止できるよう構成されている。
【００２６】
更に、図５に示すパイプ取付具Ｂ３（Ｂ）は、例えば、適宜金属材、或いは、適宜合成樹脂材、或いは、適宜複合材等によって構成されており、ボルト・ナット（或いは、固定ネジ等）を介して壁面（或いは、支柱、横架材等）等に固定される取付基体４０と、この取付基体４０に固定される固定体４５とによって構成されている。
しかも、前記取付基体４０は、例えば、給水パイプＡのノズル取付基準面１０が密接される略矩形板状の基板４１と、この基板４１の上下端部分に連設されると共に、相互に平行に（平行でなくても良い）配される一対の上板４２、下板４３と、この上板４２、下板４３の基端縁部分に夫々連設される略矩形板状の取付脚片４４とからなり、取付脚片４４には取付孔４６が適数穿設され、基板４１には固定体４５の両端部分が固定される取付孔４７が二個設けられている。
一方、前記固定体４５は、適宜杆材を略Ｕ字状に折曲したような形状を呈し、給水パイプＡの湾曲部１１を抱持すると共に、その両端部分が取付孔４７に固定できるように構成されている。尚、固定体４５の両端部分と取付孔４７の固定手段としては、例えば、固定体４５の両端部分をカシメる手段や、固定体４５の両端部分に雄ネジを螺刻し、これにナットを螺着して固定する手段等が採用できる。
すなわち、取付脚片４４の取付孔４６に挿通されるボルト・ナット（或いは、固定ネジ等）を介して取付基体４０を壁面（或いは、支柱、横架材等）等に固定する。このとき、給水パイプＡは、固定体４５で抱持されると共に、取付基体４０の基板４１にノズル取付基準面１０が密接することで回り止め手段となり、給水パイプＡが筒芯を中心として回転するのを阻止できるよう構成されている。
【００２７】
そして、図６に示すパイプ取付具Ｂ４（Ｂ）は、例えば、適宜金属材、或いは、適宜複合材等によって構成されており、ボルト・ナット（或いは、固定ネジ等）を介して壁面（或いは、支柱、横架材等）等に固定される取付基体５０によって構成されている。
しかも、前記取付基体５０は、例えば、給水パイプＡの外表面に密接するような略断面Ｄ字状の抱持片５１と、略矩形板状の取付脚片５３と、この取付脚片５３と抱持片５１を連設する連設片５２とからなり、取付脚片５３には取付孔５４が適数穿設され、連設片５２には貫通孔５５が穿設されている。
すなわち、取付脚片５３の取付孔５４に挿通されるボルト・ナット（或いは、固定ネジ等）を介して取付基体５０を壁面（或いは、支柱、横架材等）等に固定する。更に、連設片５２の貫通孔５５に挿通されるボルト・ナットによって抱持片５１での給水パイプＡの抱持状態を確実に維持し、給水パイプＡのノズル取付基準面１０及び湾曲部１１は、抱持片５１に密接することで回り止め手段となり、給水パイプＡが筒芯を中心として回転するのを阻止できるよう構成されている。
【００２８】
ところで、小動物用給水装置の具体的構成、形状、寸法、材質、給水パイプＡの具体的構成、形状、寸法、材質、パイプ取付具Ｂ、Ｂ１、Ｂ２、Ｂ３、Ｂ４の具体的構成、形状、寸法、材質、数、配設位置、給水ノズルＣの具体的構成、形状、寸法、材質、数、配設位置、カプラーＤの具体的構成、形状、寸法、材質、数、配設位置、飼育ケージＥの具体的構成、形状、寸法、材質、ノズル管体１の具体的構成、形状、寸法、材質、膨出凸部２ａの具体的構成、形状、寸法、湾曲面部２ｂの具体的構成、形状、寸法、当接段部２ｃの具体的構成、形状、寸法、作動部３の具体的構成、形状、寸法、弁棒４の具体的構成、形状、寸法、材質、グロメット５の具体的構成、形状、寸法、材質、開口部６の具体的構成、形状、寸法、配設位置、揺動蓋板７の具体的構成、形状、寸法、材質、ノズル取付基準面１０の具体的構成、形状、寸法、湾曲部１１の具体的構成、形状、寸法、取付基体２０の具体的構成、形状、寸法、材質、基体側板２１の具体的構成、形状、寸法、材質、基体連結片２２の具体的構成、形状、寸法、材質、取付脚片２３の具体的構成、形状、寸法、材質、押え片２５の具体的構成、形状、寸法、材質、嵌合溝２６の具体的構成、形状、寸法、取付孔２７の具体的構成、形状、寸法、数、配設位置、連結孔２８の具体的構成、形状、寸法、数、配設位置、連結孔２９の具体的構成、形状、寸法、数、配設位置、取付基体３０の具体的構成、形状、寸法、材質、基体側板３１の具体的構成、形状、寸法、材質、基体連結片３２の具体的構成、形状、寸法、材質、取付脚片３３の具体的構成、形状、寸法、材質、嵌合孔３５の具体的構成、形状、寸法、配設位置、取付孔３６の具体的構成、形状、寸法、数、配設位置、取付基体４０の具体的構成、形状、寸法、材質、基板４１の具体的構成、形状、寸法、材質、上板４２の具体的構成、形状、寸法、材質、下板４３の具体的構成、形状、寸法、材質、取付脚片４４の具体的構成、形状、寸法、材質、固定体４５の具体的構成、形状、寸法、材質、取付孔４６の具体的構成、形状、寸法、数、配設位置、取付孔４７の具体的構成、形状、寸法、数、配設位置、取付基体５０の具体的構成、形状、寸法、材質、抱持片５１の具体的構成、形状、寸法、材質、連設片５２の具体的構成、形状、寸法、材質、取付脚片５３の具体的構成、形状、寸法、材質、取付孔５４の具体的構成、形状、寸法、数、配設位置、貫通孔５５の具体的構成、形状、寸法、数、配設位置等は、図示例のもの等に限定されることなく、適宜自由に設定、変更できるものである。
【図面の簡単な説明】
【００２９】
【図１】本発明の小動物用給水装置を例示する部分平面図である。
【図２】本発明の小動物用給水装置を例示する部分縦断面図である。
【図３】本発明の小動物用給水装置を例示する分解斜視図である。
【図４】本発明の小動物用給水装置に於いて他のパイプ取付具を例示する斜視図である。
【図５】本発明の小動物用給水装置に於いて他のパイプ取付具を例示する斜視図である。
【図６】本発明の小動物用給水装置に於いて他のパイプ取付具を例示する斜視図である。
【符号の説明】
【００３０】
Ａ    給水パイプ            Ｂ    パイプ取付具
Ｃ    給水ノズル            Ｄ    カプラー
Ｅ    飼育ケージ
１    ノズル管体
２ａ  膨出凸部              ２ｂ  湾曲面部
２ｃ  当接段部
３    作動部                ４    弁棒
５    グロメット            ６    開口部
７    揺動蓋板
１０  ノズル取付基準面      １１  湾曲部
Ｂ１  パイプ取付具
２０  取付基体              ２１  基体側板
２２  基体連結片            ２３  取付脚片
２５  押え片                ２６  嵌合溝
２７  取付孔                ２８  連結孔
２９  連結孔
Ｂ２  パイプ取付具
３０  取付基体              ３１  基体側板
３２  基体連結片            ３３  取付脚片
３５  嵌合孔                ３６  取付孔
Ｂ３  パイプ取付具
４０  取付基体              ４１  基板
４２  上板                  ４３  下板
４４  取付脚片              ４５  固定体
４６  取付孔                ４７  取付孔
Ｂ４  パイプ取付具
５０  取付基体              ５１  抱持片
５２  連設片                ５３  取付脚片
５４  取付孔                ５５  貫通孔
【図１】
2005333806.tif 000003
【図２】
2005333806.tif 000004
【図３】
2005333806.tif 000005
【図４】
2005333806.tif 000006
【図５】
2005333806.tif 000007
【図６】
2005333806.tif 000008